(57)【特許請求の範囲】
【請求項１】
遊技機の前面に装着される上部の球受皿及び下部の球受皿と、本体枠の裏面に配置される球払出装置から払い出される遊技球を前記上部の球受皿に導く球払出通路と、前記球払出通路から分岐され前記上部の球受皿から溢れる遊技球を前記下部の球受皿に導く溢れ球通路とを備えてなる遊技機であって、
前記球払出通路に前記溢れ球通路との分岐部より上流側に位置して電気的駆動源により摺動し球払出通路を開閉するシャッター板を配設してなり、前記シャッター板は常態では前記球払出通路を密閉状に閉塞しかつ前記球払出装置から遊技球が払い出されたとき前記球払出通路を開放して該遊技球が前記上部の球受皿に払い出されるようにし、
前記球払出通路の内周面に凹溝を設け、前記凹溝に前記シャッター板の周縁が嵌り込むようにしたことを特徴とする遊技機。
【請求項２】
遊技機の前面に一個のみ装着される球受皿と、本体枠の裏側に配置される球払出装置から払い出される遊技球を前記球受皿に導く球払出通路とを備えてなる遊技機であって、
前記球払出通路に電気的駆動源により摺動し該球払出通路を開閉するシャッター板を配設してなり、該シャッター板は常態では前記球払出通路を密閉状に閉塞しかつ前記球払出装置から遊技球が払い出されたとき球払出通路を開放して該遊技球が前記球受皿に払い出されるようにし、
前記球払出通路の内周面に凹溝を設け、前記凹溝に前記シャッター板の周縁が嵌り込むようにしたことを特徴とする遊技機。
【発明の詳細な説明】
【技術分野】
【０００１】
本発明は、球払出装置から払い出される遊技球を遊技機の前面に装着された球受皿へ導く球払出通路を介して行なわれる不正行為を防止するようにした遊技機に関するものである。
【背景技術】
【０００２】
従来、遊技機の一種であるパチンコ機は、例えばその前面に上部の球受皿と下部の球受皿が装着されている。上部の球受皿は打球発射位置へ供給される遊技球を貯留し、下部の球受皿は前記上部の球受皿から溢れる遊技球を貯留するようにしている。また、パチンコ機の裏側には、例えば入賞球の発生により所定量の賞球としての遊技球を払い出す球払出装置が配設されると共に該球払出装置から払い出される遊技球を上部の球受皿と連通する開口部を介して該上部の球受皿に導く球払出通路が配設されている。該球払出通路には上部の球受皿から溢れる遊技球を下部の球受皿へ導く溢れ球通路が分岐して設けられている（例えば、特許文献１参照。）。
【特許文献１】特開２００１−３１００３８号公報（第２−４頁、図１、図３、図４）
【発明の開示】
【発明が解決しようとする課題】
【０００３】
しかしながら、前記パチンコ機にあっては、前面に遊技者と向かい合うようにして球払出通路や溢れ球通路と連なる開口部が開設されているので、それら開口部を介しピアノ線または所謂「セル板」と呼ばれる薄い樹脂製の帯板を開口部から内に這わせ、例えば、ソレノイド式の球払出装置にあっては、そのソレノイドを作動させて故意に多くの景品球を得るという不正行為が行なわれている。また、開口部後端縁の僅かな隙間を介しピアノ線またはセル板を前記球払出通路内に這わせて遊技盤前面に到達させ、例えば入賞装置の開閉扉を開け多くの入賞球を発生させて故意に多くの景品球を得るという不正行為も行なわれており、これら不正行為が後を絶たないのが現状である。
【０００４】
そこで、本発明は上記課題に鑑みてなされたもので、球受皿の開口部を介して球払出通路内にピアノ線またはセル板を這わせ入賞球の発生を促し故意に多くの賞球を得るという不正行為を未然に防止するようにした遊技機を提供することを目的とするものである。
【課題を解決するための手段】
【０００５】
かかる目的を達成するため、本発明に係る遊技機は、遊技機の前面に装着される上部の球受皿及び下部の球受皿と、本体枠の裏面に配置される球払出装置から払い出される遊技球を前記上部の球受皿に導く球払出通路と、前記球払出通路から分岐され前記上部の球受皿から溢れる遊技球を前記下部の球受皿に導く溢れ球通路とを備えてなる遊技機であって、前記球払出通路に前記溢れ球通路との分岐部より上流側に位置して電気的駆動源により摺動し球払出通路を開閉するシャッター板を配設してなり、前記シャッター板は常態では前記球払出通路を密閉状に閉塞しかつ前記球払出装置から遊技球が払い出されたとき前記球払出通路を開放して該遊技球が前記上部の球受皿に払い出されるようにした構成からなる。
【０００６】
また、他の遊技機は、本発明に係る遊技機であって、前記溢れ球通路は上部の球受皿側に配置され、また、前記シャッター板は前記球払出通路における上部の球受皿側の開口部とこれに接続される本体枠側の球排出口との間に配置されかつ前記電気的駆動源は本体枠側に設けられ、上部の球受皿を前側へ開いたとき前記シャッター板により前記球排出口を閉塞している構成からなる。
【０００７】
更に、他の遊技機は、遊技機の前面に一個のみ装着される球受皿と、本体枠の裏側に配置される球払出装置から払い出される遊技球を前記球受皿に導く球払出通路とを備えてなる遊技機であって、前記球払出通路に電気的駆動源により摺動し該球払出通路を開閉するシャッター板を配設してなり、該シャッター板は常態では前記球払出通路を密閉状に閉塞しかつ前記球払出装置から遊技球が払い出されたとき球払出通路を開放して該遊技球が前記球受皿に払い出されるようにした構成からなる。
【０００８】
更にまた、他の遊技機は、前記段落０００７に記載の他の遊技機であって、前記シャッター板は前記球払出通路における球受皿側の開口部とこれに接続される本体枠側の球排出口との間に配置されかつ前記電気的駆動源は前記本体枠側に設けられ、前記球受皿を前側へ開いたとき前記シャッター板により前記球排出口を閉塞している構成からなる。
【０００９】
本発明に係る遊技機又は前記段落０００７に記載の他の遊技機であって、球払出通路の内周面に凹溝を設け、前記凹溝に前記シャッター板の周縁が嵌り込むようにすることが好ましい。
【発明の効果】
【００１０】
本発明に係る遊技機にあっては、球払出通路に分岐部より上流側に位置して電気的駆動源により摺動し球払出通路を開閉するシャッター板を配設し、常態では球払出通路を密閉状に閉塞し、球払出装置から遊技球が払い出されたとき、シャッター板が摺動し球払出通路を開放して遊技球が上部の球受皿に払い出されるようにしたので、遊技球が払い出されるとき以外は球払出通路がシャッター板により密閉状に閉塞されることになり、球払出通路を介しての不正行為が未然に防止されるという効果がある。
【００１１】
また、他の遊技機にあっては、球払出通路における上部の球受皿側の開口部とこれに接続される本体枠側の球排出口との間にシャッター板を配置し、その電気的駆動源を本体枠側に設けるようにしたので、上部の球受皿を前側へ開いたとき前記球排出口は前記シャッター板により閉塞している。これにより、不正防止効果を果すと共に例えば上部の球受皿を前側へ開いたとき本体枠側の球排出口から遊技球が零れ落ちることがないという球零れ防止効果も果す。
【００１２】
更に、他の遊技機にあっては、遊技球を球受皿に導く球払出通路に電気的駆動源により摺動し該球払出通路を開閉するシャッター板を配設し、常態では球払出通路を密閉状に閉塞し、球払出装置から遊技球が払い出されたとき、シャッター板が摺動し球払出通路を開放して該遊技球が球受皿に払い出されるようにしたので、遊技球が払い出されるとき以外は球払出通路がシャッター板により密閉状に閉塞されることになり、これによりピアノ線又はセル板の侵入が遮断され球払出通路を介しての不正行為が未然に防止されるという効果がある。
【００１３】
更にまた、他の遊技機にあっては、球払出通路における球受皿側の開口部とこれに接続される本体枠側の球排出口との間にシャッター板を配置し、その電気的駆動源を本体枠側に設けるようにしたので、この場合も、球受皿を前側へ開いたとき前記シャッター板により球排出口は閉塞している。これにより、不正防止効果を果すと共に例えば球受皿を前側へ開いたとき本体枠側の球排出口から遊技球が零れ落ちることがないという球零れ防止効果も果す。
【００１４】
本発明に係る遊技機又は段落００１２に記載の他の遊技機のように、球払出通路の内周面に凹溝を設け該凹溝にシャッター板の周縁が嵌り込むようにすれば、シャッター板と球払出通路の内周面との間に隙間がほとんどなくなり、これによって不正防止効果が向上する。
【発明を実施するための最良の形態】
【００１５】
以下、本発明に係る遊技機の実施の形態を図面に基づき説明する。本発明は、例えば、パチンコ機、アレンジボール機、雀球機、パチスロ機、パロット（登録商標）機等の遊技機に適用されるが、この内、本発明はパチンコ機について説明する。また、該パチンコ機には説明上二つのタイプ、すなわち、一つは前面に上部の球受皿と下部の球受皿との二個が装着されているパチンコ機があり、他は前面に球受皿が一個のみ装着されているパチンコ機がある。そこで、前者を第一パチンコ機、後者を第二パチンコ機として説明する。
【００１６】
図１乃至図５は第一パチンコ機に係るもので、図１は本発明が適用される第一パチンコ機の正面図、図２は同透明板保持枠を開いた状態の斜視図、図３は同裏面図である。第一パチンコ機Ｐ１は、縦長方形枠状の機枠１を有し、該機枠１に一側を軸着して遊技盤２を設置した本体枠３が開閉自在に装着されている。本体枠３には、その上部に窓開口４が開設され、該窓開口４に遊技盤２の遊技部２ａが臨むようになっている。遊技部２ａは渦巻状に敷設された内側・外側ガイドレール５ａ，５ｂにより囲われ、その遊技部２ａには例えばその中央に各種の情報を変動表示する表示部６ａを備えた表示装置６が装着され、その下方に遊技球が入賞することにより前記表示部６ａの情報を変動させる始動入賞口７が装着される。更に、その下方に前記表示部６ａの表示が特定の情報（例えば、「７，７，７」）に揃ったとき一定の条件の下で開閉扉８ａを開き一度に多くの入賞球が得られる大型の入賞装置８が装着されている。また、遊技部２ａの最下部には遊技盤２面を流下するも入賞しなかったアウト球を遊技盤２の後方へ排出するためのアウト球口９が設けられている。
【００１７】
前記本体枠３の下部前面の一側に、前記外側ガイドレール５ｂの下端部とファール球排出口１０を介して連なる打球発射レール１１が取着される。また、該打球発射レール１１の発射部１１ａに先端が臨むようにして打球槌１２が軸着されている。１３は本体枠３の一側隅角部に設けられ、打球槌１２による発射球の打球力を調整するための打球操作ハンドルである。
【００１８】
本体枠３の前面には、その一側を軸着して透明板保持枠１４が装着される。この透明板保持枠１４は合成樹脂材からなり本体枠３の前面全体を覆う大きさを有し、上部に方形状の開口１５が開設されると共に該開口１５に該開口１５を塞ぐようにしてガラス製または合成樹脂製の透明板１６が装着される。また、透明板保持枠１４の下部前面に、打球発射レール１１の発射部１１ａに供給される遊技球を貯留するための上部の球受皿１７が装着され、その下方に該上部の球受皿１７から溢れる遊技球を貯留するための下部の球受皿１８が装着されている。そして、上部の球受皿１７と連通する第一開口部１９及び下部の球受皿１８と連通する第二開口部２０がそれぞれ前記透明板保持枠１４に開設される。また、透明板保持枠１４の裏側に、上部の球受皿１７の下流側に対応位置して該上部の球受皿１７に貯留される遊技球を１個ずつ打球発射レール１１の発射部１１ａへ供給する打球供給装置４８が装着されている。
【００１９】
これらに対応して、前記本体枠３の下部前面に前記第一開口部１９に接続して連通する第一球排出口２１と第二開口部２０に接続して連通する第二球排出口２２が開設されている。第一球排出口２１は後記する球払出装置３０から払い出される遊技球を導く球払出通路３４の一部であって、その後方で球払出通路３４の一側に分岐口３４ａが開設され、該分岐口３４ａから溢れ球通路２３が延設される。第二球排出口２２は溢れ球通路２３の一部である。そこで、球払出装置３０から払い出された遊技球は球払出通路３４に導かれ、第一球排出口２１、第一開口部１９を介して上部の球受皿１７に貯留される。また、上部の球受皿１７から溢れる遊技球は、球払出通路３４の分岐口３４ａから溢れ球通路２３に導かれ、第二球排出口２２、第二開口部２０を介して下部の球受皿１８に貯留される。前記ファール球排出口１０の下方には該ファール球排出口１０と連通するファール球排出通路２４が設けられる。該ファール球排出通路２４は前記溢れ球通路２３に連通しており、ファール球排出口１０に落下したファール球はファール球排出通路２４に導かれると共に溢れ球通路２３に導かれ、前記と同様にして第二開口部２０から下部の球受皿１８に排出される。
【００２０】
前記本体枠３の裏面には、遊技盤２の裏面を覆うようにして合成樹脂製の機構板２５が開閉自在に装着される。該機構板２５の中央部は前記表示装置６の後部が臨む透口２６が開設される。そして、機構板２５の裏面上部に球タンク２７が配置され、その下方に球タンク２７の遊技球を受け入れるタンクレール２８が配置されている。該タンクレール２８の流下端にはカーブレール２９が連結され、その下端に例えば１個の入賞球が発生する毎に所定量の賞球としての遊技球を払い出す球払出装置３０が装着される。該球払出装置３０はソレノイド式であって、球供給通路３１に流下する遊技球を受けて回転するスプロケット３２が臨んでおり、該スプロケット３２の回転量を制御ソレノイド３３の動作により制御して所定量の遊技球が払い出される。通常、この球払出装置３０は貸し球機能も備えている。球払出装置３０の下方に、前記第一球排出口２１と連通し球払出装置３０から排出される遊技球を上部の球受皿１７に導くための球払出通路３４が設けられている。また、その一側に前記カーブレール２９の下部に設けられる球抜装置３５を介して開閉する球抜き口３６と連通する球抜き通路３７が配置される。この球抜き通路３７は機構板２５の下縁部位まで延設されると共にその流下端は開放され、球抜きした遊技球を下端の開口から機外に排出するようになっている。
【００２１】
本発明は、図４に示すように前記球払出通路３４に前記溢れ球通路２３との分岐部である分岐口３４ａより上流側に位置して球払出通路３４を開閉するシャッター板３８が配設される。該シャッター板３８は球払出通路３４に対してほぼ直交するようにして配置され、電気的駆動源としてのソレノイド３９のプランジャ４０先端に取着されている。そして、常態ではソレノイド３９が消磁しており、プランジャ４０に巻介されるコイルスプリング４１の弾発力によってプランジャ４０が球払出通路３４側へ前進し、球払出通路３４がシャッター板３８により密閉状に閉塞されている。一方、球払出装置３０から遊技球が払い出されるときソレノイド３９が励磁して遊技球を通過させる。すなわち、ソレノイド３９の励磁によりプランジャ４０がコイルスプリング４１の弾発力に抗して後退し、シャッター板３８が摺動して球払出通路３４を開放する。そして、球払い出しが終了したときから所定時間経過後に、ソレノイド３９が消磁して再びシャッター板３８により球払出通路３４を密閉状に塞ぐことになる。球払出装置３０から一回に払い出される賞球または貸し球といった遊技球の個数はその都度異なるので、それら遊技球の払出し個数に応じてシャッター板３８の開放時間を定めるようにしている。
【００２２】
このように本発明は、球払出通路３４に電気的駆動源により摺動し該球払出通路３４を開閉するシャッター板３８を配設してなり、常態では球払出通路３４を密閉状に閉塞し、球払出装置３０から遊技球が払い出されたとき、シャッター板３８が摺動し球払出通路３４を開放して遊技球が上部の球受皿１７に払い出されるようにしたので、遊技球が払い出されるとき以外は球払出通路３４がシャッター板３８により密閉状に閉塞されることになる。これにより球払出通路３４内へのピアノ線又はセル板等の不正具の侵入が遮断でき、球払出通路３４を介しての球払出装置３０に対する不正行為が未然に防止される。
【００２３】
また、図５に示すように前記球払出通路３４の内周面に凹溝４２を周設し、該凹溝４２にシャッター板３８の周縁を嵌り込ませるようにすれば、シャッター板３８と球払出通路３４の内周面との間に隙間がほとんどなくなり、しかも、シャッター板３８が周囲三方向を支持されるのでガタつくことなく安定する。これによって不正防止効果が向上する。シャッター板３８またはこれを取り囲む周囲の部材が金属製であることが好ましい。これは加熱したピアノ線を用いて行なわれる不正行為に対処するためである。
【００２４】
図６乃至図８は、他の実施の形態に係る第一パチンコ機を示すものであり、第一パチンコ機Ｐ１とほとんど構成が同じなので、同一部位は同一番号を附すことにより詳しい説明は省略する。この第一パチンコ機Ｐ１−２にあっては、球払出通路３４が途中で本体枠３側と透明板保持枠１４側に分離され、本体枠３の前面に前方へ突出すると共に下方へ屈曲し前記球払出通路３４と連通する樋状の球出し部４３が設けられている。該球出し部４３の先端下面に球出口４４が開設される。一方、透明板保持枠１４にはその裏面に上部の球受皿１７と連通する球受け部４５が設けられ、透明板保持枠１４を閉めたとき該球受け部４５の上面に前記球出し部４３の下面が合致するようになっている。そして、その上面に球出口４４と連通し得る球受口４６が開設される。また、球受け部４５の一側に分岐口３４ａが開設され、該分岐口３４ａと連通するようにして溢れ球通路２３が設けられている。溢れ球通路２３の流下端は下部の球受皿１８と連なる第二開口部２０に連通している。球払出装置３０から払い出された遊技球は、球払出通路３４に導かれ、流出口４４、球受口４６を介して上部の球受皿１７に貯留される。また、上部の球受皿１７から溢れる遊技球は、分岐口３４ａを介して溢れ球通路２３に導かれて下部の球受皿１８に貯留される。
【００２５】
この実施の形態にあっては、前記球受け部４５上面に球受口４６を開閉するようにシャッター板３８が配設される。該シャッター板３８の一側に上面に平歯を列設したラック板５０が該シャッター板３８と同一直線上に並ぶように連接される。一方、透明板保持枠１４の裏面にピニオン歯車５１が軸着され、該ピニオン歯車５１がラック板５０上面の平歯と噛合している。また、ピニオン歯車５１に近接して透明板保持枠１４の裏面に減速機付きの駆動モータ５２が固着される。該駆動モータ５２のモータ軸にプーリ５３が取着され、前記ピニオン歯車５１にも同じく同心軸上にプーリ５４が取着され、両プーリ５３，５４間に無端ベルト５５が懸架されている。そこで、駆動モータ５２が正逆回転することにより、シャッター板３８が左右に摺動し球受口４６を開閉するようになっている。このシャッター板３８も球払出装置３０から遊技球が払い出されたときのみ摺動して球払出通路３４を開放し、球払出装置３０から遊技球が払い出されないときは球払出通路３４を密閉状に塞ぐことになる。
【００２６】
このような構成であっても、本実施の形態と同様にピアノ線又はセル板により球払出通路３４を介して行なわれる不正行為は未然に防止される。
【００２７】
図９乃至図１１も他の実施の形態に係る第一パチンコ機を示すものであり、この第一パチンコ機Ｐ１−３は、前記他の実施の形態に係る第一パチンコ機Ｐ１−２であって、シャッター板３８、ピニオン歯車５１、駆動モータ５２を本体枠３側に配設したものである。なお、シャッター板３８、ピニオン歯車５１、駆動モータ５２については前記と同一構成のものを使用するので、これらと同一部位は同一符号を附すことによって詳しい説明は省略する。
【００２８】
ところで、最近のパチンコ機は例えば大当り状態のときその途中で早くに満タンスイッチが作動し打球動作が停止してしまうことによって遊技者に不快感を与えないため、満タンスイッチを球払出通路３４の比較的上流側に設置するようにしている。しかしながら、仮に、シャッター板３８の上流側に満タンスイッチが配置されており、球払出装置３０から遊技球が払い出されて上部・下部の球受皿１７，１８のいずれも遊技球で満タンとなり、しかも、球払出通路３４の上流側の一定の位置まで遊技球が溜められるも満タンスイッチが作動しない状態では、閉塞したシャッター板３８の上流側に遊技球が残ることがある。このため、シャッター板３８がないとすると、故障の修理などのため透明板保持枠１４を開けたとき、球出口４４から遊技球が落下するといった事故が起こる。そこで、本発明のように球出口４４を設けた本体枠４側にソレノイド３９を配設するようにすれば、本来の不正防止効果を発揮すると共に零れ球防止効果も発揮することになる。
【００２９】
前記他の実施の形態に係る第一パチンコ機Ｐ１−２，Ｐ１−３にあっては、球出し部４３、球受け部４５、溢れ球通路２３、シャッター板３８が金属製であることが好ましい。これは前記したように加熱したピアノ線を用いて行なわれる不正行為に対処するためである。また、これに合わせ、透明板保持枠１４の裏面に金属板を貼着したり、本体枠３をも金属製にすることが好ましい。
【００３０】
次に、第二パチンコ機Ｐ２について説明する。図１２は第二パチンコ機の正面図、図１３は同透明板保持枠を開いた状態の斜視図、図１４は同裏面図である。なお、第二パチンコ機Ｐ２も第一パチンコ機Ｐ１と構成がほとんど同じなので、第一パチンコ機Ｐ１と同一部位は同一番号を附すことにより詳しい説明は省略する。第二パチンコ機Ｐ２は、その前面すなわち透明板保持枠１４の前面に一個の球受皿４７のみが装着されている。詳しい説明は省略するが、この球受皿４７は打球発射レール１１の発射部１１ａに供給する遊技球を貯留すると共に入賞球の発生により球払出装置３０から払い出される賞球をも貯留できるようになっている。
【００３１】
そして、球払出装置３０から払い出された遊技球を球受皿４７に導く球払出通路３４にシャッター板３８が配設される。この場合も、図４と同様にシャッター板３８が摺動し球払出通路３４を開放して該遊技球が球受皿４７に払い出されるようにしたので、遊技球が払い出されるとき以外は球払出通路３４がシャッター板３８により密閉状に閉塞されることになり、これによりピアノ線又はセル板の侵入が遮断され球払出通路３４を介しての不正行為が未然に防止される。この場合も、シャッター板３８またはこれを取り囲む周囲の部材が金属製であることが好ましい。
【００３２】
また、第二パチンコ機Ｐ２にあっても、前記他の実施の形態に係る第一パチンコ機Ｐ１−２，Ｐ１−３で説明したように図６または図９と同様にしてシャッター板３８を配置して使用できる。ただし、いずれも溢れ球通路２３は不要である。そして、これらの場合も、シャッター板３８によりピアノ線又はセル板の侵入が遮断され球払出通路３４を介しての不正行為が未然に防止される。また、ソレノイド３９を本体枠３側に配設した場合は、透明板保持枠１４を前側へ開いたとき本体枠３側の球出口４４から遊技球が零れ落ちることがないという球零れ防止効果も果す。
【００３３】
なお、前記第一パチンコ機Ｐ及び他の実施の形態に係る第一パチンコ機Ｐ１−２，Ｐ１−３にあっては、シャッター板３８の上流側に数個の遊技球が取り残されそのままになるおそれがあり、このような事態が生ずると遊技客に損失を与えてしまうことになる。図示は省略するが、通常この種電動式の打球操作ハンドル１７にあっては、遊技者が打球操作ハンドル１７を手で握ると接地され発信回路の発信が停止してその電気信号により無接点スイッチがオンし打球発射用のモータが入る所謂タッチ部が備えられている。そこで、このタッチ部のタッチ回路に前記シャッター板３８を作動させるソレノイド３９または駆動モータ５２を組み込んでおき、例えば遊技者が握っていた打球操作ハンドル１３から手を離したとき、その信号を検出して前記ソレノイド３９または駆動モータ５２を一回ＯＮさせてからＯＦＦさせ、シャッター板３８を一度きり開閉動作させて残っていた遊技球を払い出すような手段が選ばれる。
【００３４】
また、不正具を下部の球受皿１８の第二開口部２０から溢れ球通路２３、ファール球排出通路２４に這わせ、更に、ファール球排出口１０から遊技盤２の遊技部２ａに這わせて不正行為が行なわれるおそれがある。この点については、図示は省略するが、例えばファール球排出通路２４内に上端部で軸着した開閉板を配置して対応する。この開閉板はファール球排出通路２４の上流側には回動せず、下流側のみ回動し得るようになっており、ファール球は開閉扉を押し退けて下流へ流下するが、不正具の先端が下流側から開閉扉に衝止しても該開閉扉が上流側へは回動しない。このようにして、不正防止を図れば良い。
【図面の簡単な説明】
【００３５】
【図１】本発明が適用される第一パチンコ機の正面図。
【図２】同透明板保持枠を開いた状態の斜視図。
【図３】同裏面図。
【図４】同球払出通路部位の側面断面図。
【図５】同要部の拡大裏面図。
【図６】他の実施の形態の第一パチンコ機の透明板保持枠を開いた状態の斜視図。
【図７】同球払出通路部位の側面断面図。
【図８】同透明板保持枠の要部の裏面断面図。
【図９】他の実施の形態の第一パチンコ機の透明板保持枠を開いた状態の斜視図。
【図１０】同球払出通路部位の側面断面図。
【図１１】同透明板保持枠の要部の裏面断面図。
【図１２】第二パチンコ機の正面図。
【図１３】同透明板保持枠を開いた状態の斜視図。
【図１４】同裏面図。
【符号の説明】
【００３６】
３                  本体枠
１７                上部の球受皿
１８                下部の球受皿
１９                第一開口部
２１                第一球排出口
２３                溢れ球通路
３０                球払出装置
３４                球払出通路
３８                シャッター板
４２                凹溝
４７                球受皿
Ｐ１                第一パチンコ機
Ｐ１−２            他の実施の形態の第一パチンコ機
Ｐ１−３            他の実施の形態の第一パチンコ機
Ｐ２                第二パチンコ機
【図１】
0004825468.tif 000002
【図２】
0004825468.tif 000003
【図３】
0004825468.tif 000004
【図４】
0004825468.tif 000005
【図５】
0004825468.tif 000006
【図６】
0004825468.tif 000007
【図７】
0004825468.tif 000008
【図８】
0004825468.tif 000009
【図９】
0004825468.tif 000010
【図１０】
0004825468.tif 000011
【図１１】
0004825468.tif 000012
【図１２】
0004825468.tif 000013
【図１３】
0004825468.tif 000014
【図１４】
0004825468.tif 000015